(57)【要約】  通信を行う通信部と、通信部による通信を制御すると共に、所定の条件に基づいて通信部による発信を抑制する制御部と、通信部により行われた通信の履歴を記憶可能な記憶部と、を有し、制御部は、所定の条件に基づいて通信部による発信を抑制しているときに、記憶部に記憶された通信の履歴に含まれる通信先に対する発信を許可する。
2011024970.tif 000002
【特許請求の範囲】
【請求項１】
通信を行う通信部と、
前記通信部による通信を制御すると共に、所定の条件に基づいて前記通信部による発信を抑制する制御部と、
前記通信部により行われた通信の履歴を記憶可能な記憶部と、を有し、
前記制御部は、前記所定の条件に基づいて前記通信部による前記発信を抑制しているときに、前記記憶部に記憶された前記通信の履歴に含まれる通信先に対する発信を許可する携帯端末。
【請求項２】
前記制御部は、前記発信を抑制しているときに前記通信部により行われて、前記記憶部に前記履歴として記憶された通信に係る通信先に対する発信を許可する
請求項１に記載の携帯端末。
【請求項３】
前記制御部は、前記発信を抑制しているときに前記通信部により行われた不在着信に係る通信先に対する発信を許可する
請求項２に記載の携帯端末。
【請求項４】
前記記憶部は、所定の通信先を記憶し、
前記制御部は、前記記憶部に前記履歴として記憶された通信に係る通信先のうち、前記所定の通信先として記憶されている通信先に対する発信を許可する
請求項１に記載の携帯端末。
【請求項５】
前記記憶部は、前記履歴として前記通信部による通信に係る呼び出し時間を記憶し、
前記制御部は、前記記憶部に記憶されている通信のうち、前記呼び出し時間が所定の時間より長い通信に係る通信先に対する発信を許可する
請求項１に記載の携帯端末。
【請求項６】
前記記憶部は、前記履歴として前記通信部による通信の回数を記憶し、
前記制御部は、前記記憶部に記憶されている通信に係る通信先のうち、前記通信の回数が所定の回数よりも多い通信先に対する発信を許可する
請求項１に記載の携帯端末。
【請求項７】
前記制御部は、前記通信部による発信を抑制した後の通信から所定の時間が経過すると、前記通信の履歴に含まれる通信先に対する発信の許可を解除する
請求項１に記載の携帯端末。
【請求項８】
前記記憶部は、特定の通信先を記憶し、
前記制御部は、前記発信の許可を解除した後でも、前記特定の通信先に対する発信を許可する
請求項７に記載の携帯端末。
【請求項９】
表示部を備え、
前記制御部は、前記発信を抑制しているときに前記通信の履歴に含まれる通信先に対する発信を行う場合に、当該通信先に係る情報の少なくとも一部を前記表示部に表示しない
請求項１に記載の携帯端末。
【請求項１０】
操作部を備え、
前記制御部は、前記発信を抑制しているときに前記操作部に対して所定の入力操作がなされた場合には、前記発信の抑制を解除し、前記発信を抑制しているときに前記操作部に対して前記所定の入力操作と異なる入力操作がなされた場合には、前記記憶部に記憶された前記通信の履歴に含まれる通信先に対する発信を行う
請求項１に記載の携帯端末。
【発明の詳細な説明】
【技術分野】
【０００１】
本発明は、通信部により通信を行う携帯端末、特に、所定の条件が満たされると通信部による発信を抑制することが可能な携帯端末に関する。
【背景技術】
【０００２】
従来、携帯端末を紛失した場合に、遠隔操作により携帯端末にロックをかけて悪意の第三者が通信部による発信を行うことを抑制するという技術が知られている（例えば、特許文献１）。【０００３】
一方、上述のロックにより通信部による発信が抑制されている場合であっても、あらかじめ記憶された特定の通信先に対する発信を許可するという技術が知られている（例えば、特許文献２）。
【先行技術文献】
【特許文献】
【０００４】
【特許文献１】特開２００７−１３５１５３号公報
【特許文献２】特開２００２−９９３４号公報
【発明の概要】
【発明が解決しようとする課題】
【０００５】
しかしながら、特許文献２に記載の技術は、発信が抑制されている場合にあらかじめ記憶された特定の通信先にのみ通信を許可するものである。そのため、発信が抑制されている場合であっても通信が許可される通信先として、通信の履歴に含まれる連絡先、すなわち当該携帯端末との通信が行われた他の通信先が有効に活用されているとは言い難い。【０００６】
本発明は上記のような課題に鑑みてなされたものであり、発信が抑制されている場合であっても通信が許可される通信先として通信の履歴に含まれる通信先を有効活用することを目的とする。
【課題を解決するための手段】
【０００７】
本発明に係る携帯端末は、通信を行う通信部と、前記通信部による通信を制御すると共に、所定の条件に基づいて前記通信部による発信を抑制する制御部と、前記通信部により行われた通信の履歴を記憶可能な記憶部と、を有し、前記制御部は、前記所定の条件に基づいて前記通信部による前記発信を抑制しているときに、前記記憶部に記憶された前記通信の履歴に含まれる通信先に対する発信を許可する。【０００８】
また、前記制御部は、前記発信を抑制しているときに前記通信部により行われて、前記記憶部に前記履歴として記憶された通信に係る通信先に対する発信を許可する。【０００９】
また、前記制御部は、前記発信を抑制しているときに前記通信部により行われた不在着信に係る通信先に対する発信を許可する。【００１０】
また、前記記憶部は、所定の通信先を記憶し、前記制御部は、前記記憶部に前記履歴として記憶された通信に係る通信先のうち、前記所定の通信先として記憶されている通信先に対する発信を許可する。【００１１】
また、前記記憶部は、前記履歴として前記通信部による通信に係る呼び出し時間を記憶し、前記制御部は、前記記憶部に記憶されている通信のうち、前記呼び出し時間が所定の時間より長い通信に係る通信先に対する発信を許可する。【００１２】
また、前記記憶部は、前記履歴として前記通信部による通信の回数を記憶し、前記制御部は、前記記憶部に記憶されている通信に係る通信先のうち、前記通信の回数が所定の回数よりも多い通信先に対する発信を許可する。【００１３】
また、前記制御部は、前記通信部による発信を抑制した後の通信から所定の時間が経過すると、前記通信の履歴に含まれる通信先に対する発信の許可を解除する。【００１４】
また、前記記憶部は、特定の通信先を記憶し、前記制御部は、前記発信の許可を解除した後でも、前記特定の通信先に対する発信を許可する。【００１５】
また、表示部を備え、前記制御部は、前記発信を抑制しているときに前記通信の履歴に含まれる通信先に対する発信を行う場合に、当該通信先に係る情報の少なくとも一部を前記表示部に表示しない。【００１６】
また、操作部を備え、前記制御部は、前記発信を抑制しているときに前記操作部に対して所定の入力操作がなされた場合には、前記発信の抑制を解除し、前記発信を抑制しているときに前記操作部に対して前記所定の入力操作と異なる入力操作がなされた場合には、前記記憶部に記憶された前記通信の履歴に含まれる通信先に対する発信を行う。
【発明の効果】
【００１７】
本発明によれば、発信が抑制されている場合であっても通信が許可される通信先として通信の履歴に含まれる通信先を有効活用することができる。
【図面の簡単な説明】
【００１８】
【図１】図１は、携帯電話機を開いた状態における外観斜視図である。
【図２】図２は、携帯電話機の基本的な構成を示すブロック図である。
【図３】図３は、発信許可番号を決定するためのフローチャートである。
【図４】図４は、着信履歴の一例を示す図である。
【図５】図５は、着信履歴の別の例を示す図である。
【図６】図６は、図３に示す処理により発信を許可された電話番号に発信する際の表示部の表示画面を示す図である。
【図７】図７は、図３に示す処理により発信を許可された電話番号に発信しているときの表示部の表示画面を示す図である。
【発明を実施するための形態】
【００１９】
以下、図面を参照して本発明を実施するための形態を説明する。なお、以下の説明により本発明が限定されるものではない。また、以下の説明における構成要素には、当業者が容易に想定できるもの、実質的に同一のもの、いわゆる均等の範囲のものが含まれる。
【００２０】
まず、携帯端末の外観の構成を説明する。図１は、本実施形態に係る携帯端末としての携帯電話機１を開いた状態における外観斜視図である。
【００２１】
図１に示すように、携帯電話機１は、操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）にすることができる。ここで、閉状態とは、両筐体が互いに重なるように配置された状態であり、開状態とは、両筐体が互いに重ならないように配置された状態をいう。
【００２２】
操作部側筐体２は、操作部１１と、携帯電話機１の使用者が通話時に発した音声が入力される音声入力部３１とを備える。
【００２３】
音声入力部３１は、操作部側筐体２の長手方向における連結部４側と反対の外端部側に配置される。つまり、音声入力部３１は、携帯電話機１が開状態において一方の外端部側に配置される。
【００２４】
表示部側筐体３は、各種情報を表示するための表示部１４と、通話の相手側の音声を出力する音声出力部３２とを備える。ここで、表示部１４は、液晶パネルと、この液晶パネルを駆動する駆動回路と、この液晶パネルの背面側から光を照射するバックライト等の光源部とから構成される。
【００２５】
図２は、携帯電話機１の基本的な構成要素を示したブロック図である。本図に示される通り、携帯電話機１は、制御部１０と、操作部１１と、通信部１２と、ＧＰＳ通信部１３と、表示部１４と、記憶部１５と、音声入力部３１と、音声出力部３２と、を有する。
【００２６】
操作部１１は、各種設定や電話帳機能やメール機能等の各種機能を作動させるための機能設定操作キー１１ａと、電話番号の数字やメール等の文字等を入力するための入力操作キー１１ｂと、各種操作における決定や上下左右方向のスクロール等を行うための決定操作キー１１ｃとにより構成される。操作部１１を構成する各キーそれぞれには、操作部側筐体２と表示部側筐体３との開閉状態や各種モード、あるいは起動されているアプリケーション等の種類に応じて所定の操作内容が割り当てられる。そして、使用者が各キーを押圧することにより、各キーに割り当てられている操作内容に応じた動作が実行される。
【００２７】
通信部１２は、ベースバンド部の受信側から信号を取り込んで受信ベースバンド信号に復調し、また、音声入力部３１から入力された音声データを送信ベースバンド信号に符号化して送信出力させる。また、メールの送受信、インターネットへの接続等の通信も行う。
【００２８】
ＧＰＳ通信部１３は、不図示のＧＰＳ衛星との間でＧＰＳ信号の送受信を行い、携帯電話機１の位置情報を取得する。
【００２９】
表示部１４は、液晶や有機ＥＬ（Ｅｌｅｃｔｒｏ  Ｌｕｍｉｎｅｓｃｅｎｃｅ）等で構成される表示デバイスであり、携帯電話機１に係る種々の情報を表示する。
【００３０】
記憶部１５は、携帯電話機１に係る種々の情報を記憶する記憶デバイスであり、写真データや音楽データ、そして後述する図３に示すフローチャートに沿って実施形態をそれぞれ実現するためのプログラム等が格納されている。
【００３１】
また、記憶部１５は、第１の記憶部としての通信履歴記憶部５１、第２の記憶部としてのアドレス帳５２、第３の記憶部としての許可番号格納領域５３、緊急通報用記憶部５４および設定データ記憶部５５を有する。
【００３２】
通信履歴記憶部５１には、通信部１２より通信先との間で行われた通信の履歴（発信の履歴及び着信の履歴）が記憶される。通信の履歴として、例えば日時、通信相手、通信相手の電話番号および不在着信であるか否か（応答の有無）を含む他の携帯端末との通信履歴が記憶される。
【００３３】
アドレス帳５２は、通信相手の通信先を記憶可能に構成され、通信相手ごとに、名前、電話番号、電子メールアドレスおよびＵＲＬ（Ｕｎｉｆｏｒｍ  Ｒｅｓｏｕｒｃｅ  Ｌｏｃａｔｏｒ）などの通信先を登録することができる。
【００３４】
許可番号格納領域５３には、オートロック機能等により発信が抑制されている場合でも例外的に発信が可能な特定の通信先（例えば、自宅の電話番号）が記憶されている。この通信先は複数記憶させることが可能であり、また、記憶されている通信先を別の通信先に書き換えることもできる。
【００３５】
緊急通報用記憶部５４には、緊急通報用の通信先（警察や消防等）が記憶されている。
【００３６】
設定データ記憶部５５には、後述する図３に示すフローチャートにより発信が抑制されている場合でも発信可能な通信先を決定する際に用いられる条件が記憶されている。具体的には、呼び出し時間、着信履歴における同一番号からの不在着信の回数および最新の着信があってからの経過時間に関する条件が記憶されている。なお、呼び出し時間とは、他の通信先からの着信に係る報知が開始されてから終了するまでの時間である。これらの条件は、携帯電話機１のユーザーが自由に設定することができる。また、設定データ記憶部５５には、後述するオートロックモードを解除するためのパスワード（文字列）も記憶されている。
【００３７】
制御部１０は、上記の携帯電話機１の各構成要素の動作を、記憶部１５に格納されたプログラムによって制御する。制御部１０は、例えば、他の携帯電話機等の通信機器からの遠隔ロック等の操作があった場合にはオートロックモードに移行し、特定の操作以外の操作を抑制する。携帯電話機１がオートロックモードに移行すると、着信履歴を閲覧するための操作や、緊急通信先および許可番号格納領域５３に記憶された特定の通信先以外の通信先に対する発信のための操作が抑制される。すなわち、制御部１０は、所定の条件が満たされる場合に、携帯電話機１を、特定の通信先に対する発信以外の操作を抑制する発信抑制状態とする。
【００３８】
次に、発信が抑制されている場合でも発信可能な通信先（本実施形態においては、電話番号）が設定される場合の携帯電話機１の動作について、図３乃至図５を用いて説明する。
【００３９】
図３は、携帯電話機１において、発信が抑制されている場合でも発信可能な通信先を決定するためのフローチャートである。
【００４０】
まず、制御部１０は、上述したように所定の操作が入力されたら又は一定の条件が満たされたら、携帯電話機１をオートロックモードに移行させる（ステップＳ１００）。その後、制御部１０は、オートロックモードに移行した後に不在着信があったかどうかを判定し（ステップＳ１０１）、不在着信がないと判定した場合（ステップＳ１０１でＮＯ）にはステップＳ１０８に進む。
【００４１】
制御部１０は、不在着信があったと判定した場合（ステップＳ１０１でＹＥＳ）には、ステップＳ１０２に進む。そして、制御部１０は、不在着信に係る電話番号がアドレス帳５２に登録された電話番号であるかどうかを判定する（ステップＳ１０２）。制御部１０は、不在着信に係る電話番号がアドレス帳５２に登録された電話番号であると判定した場合（ステップＳ１０２でＹＥＳ）にはステップＳ１０４に進む。一方、制御部１０は、不在着信に係る電話番号がアドレス帳５２に登録された電話番号でないと判定した場合（ステップＳ１０２でＮＯ）には、ステップＳ１０３に進む。
【００４２】
制御部１０は、不在着信に係る電話番号がアドレス帳５２に登録された電話番号ではないと判定した場合（ステップＳ１０２でＮＯ）には、呼び出し時間が設定データ記憶部５５に記憶された所定の時間より長いかどうかを判定する（ステップＳ１０３）。制御部１０は、呼び出し時間が所定の時間より長いと判定した場合（ステップＳ１０３でＹＥＳ）には、ステップＳ１０４に進む。一方、制御部１０は、呼び出し時間が所定の時間より短いと判定した場合（ステップＳ１０３でＮＯ）には、ステップＳ１０８に進む。
【００４３】
制御部１０は、不在着信に係る電話番号がアドレス帳５２に登録された電話番号であると判定した場合（ステップＳ１０２でＹＥＳ）又は呼び出し時間が設定データ記憶部５５に記憶された所定の時間より長いと判定した場合（ステップＳ１０３でＹＥＳ）には、現在制御部１０により判断が行われている通信先からの不在着信の回数が所定の回数より多いかどうかを判定する（ステップＳ１０４）。制御部１０は、通信先からの不在着信の回数が所定の回数より少ないと判定した場合（ステップＳ１０４でＮＯ）には、ステップＳ１０８に進む。一方、制御部１０は、通信先からの不在着信の回数が所定の回数より多いと判定した場合（ステップＳ１０４でＹＥＳ）には、ステップＳ１０５に進む。制御部１０は、通信先からの不在着信の回数が所定の回数より多いと判定した場合（ステップＳ１０４でＹＥＳ）には、上記特定の電話番号に代えて現在制御部１０により判断が行われている電話番号を許可番号格納領域５３に記憶する（ステップＳ１０５）。そして、制御部１０は、上記の電話番号に対する発信を許可する（ステップＳ１０６）。
【００４４】
そして、制御部１０は、上記の電話番号から最新の着信があってから所定の時間が経過したかどうかを判定する（ステップＳ１０７）。制御部１０は、上記の電話番号から最新の着信があってから所定の時間が経過していると判定した場合（ステップＳ１０７でＹＥＳ）には、ステップＳ１０８に進み、上記の電話番号から最新の着信があってから所定の時間が経過していないと判定した場合（ステップＳ１０７でＮＯ）には、ステップＳ１０６に進む。
【００４５】
制御部１０は、不在着信がないと判定した場合（ステップＳ１０１でＮＯ）、呼び出し時間が所定の時間より短いと判定した場合（ステップＳ１０３でＮＯ）、通信先からの不在着信の回数が所定の回数より少ないと判定した場合（ステップＳ１０４でＮＯ）、又は、上記の電話番号から最後の着信があってから所定の時間が経過していると判定した場合（ステップＳ１０７でＹＥＳ）には、許可番号格納領域５３に予め記憶された特定の通信先としての特定の電話番号（例えば、自宅の電話番号）に対する発信を再び許可する（ステップＳ１０８）。すなわち、制御部１０は、ステップＳ１０５において記憶された電話番号に代えて許可番号格納領域５３に予め記憶された特定の電話番号を許可番号格納領域５３に記憶する。制御部１０は、ステップＳ１０８の処理を終了したら、本処理を終了する。
【００４６】
制御部１０は、携帯電話機１がオートロックモードに移行した後の着信履歴に含まれる異なる電話番号ごとに図３に示す処理を行い、設定データ記憶部５５に記憶された条件を満たす電話番号があると判定すると、その電話番号を許可番号格納領域５３に記憶する。条件を満たす電話番号が複数ある場合には、最後の着信時間が最も遅い電話番号に対する発信を許可する。
【００４７】
ここで、携帯電話機１において通信履歴記憶部５１に記憶された着信履歴が図４に示す状態であったと仮定した場合の図３における処理の流れを説明する。図４は、着信履歴が表示部に表示された状態を示す。ここで、通信相手が前述のアドレス帳５２に記憶されている相手である場合には、名前が表示されるが、アドレス帳５２に記憶されている相手でない場合には、名前ではなく電話番号が表示される。
【００４８】
携帯電話機１の所有者が携帯電話機１を紛失し、その後７月２３日２１時９分から７月２４日１１時９分までの間に携帯電話機１がオートロックモードに移行したとする。このとき、着信履歴を閲覧するための操作や、緊急通信先および許可番号格納領域５３に記憶された特定の電話番号以外の電話番号に対する発信のための操作は制御部１０により抑制される。そして、設定データ記憶部５５に記憶された上述の条件は、呼び出し時間が４秒、着信履歴中の回数が２回であるとする。なお、最後の着信があってから設定データ記憶部５５に記憶された時間は経過していないものとする。
【００４９】
着信履歴が図４に示す状態である場合、番号０１の履歴に含まれる「清澤花子」の電話番号はアドレス帳５２に登録されており、かつ４秒以上の呼び出し時間の不在着信が着信履歴中に３回含まれるので、条件を満たす。よって、制御部１０は、「清澤花子」の電話番号を許可番号格納領域５３に記憶し、発信を可能とする。しかし、番号０４の履歴に含まれる電話番号「０４５−９４３−ＸＸＸＸ」については、アドレス帳５２に登録されておらず、かつ呼び出し時間が４秒未満であるため、条件を満たさない。よって、この電話番号に対する発信は許可されず、許可番号格納領域５３にあらかじめ記憶された特定の電話番号に対する発信が許可される。
【００５０】
一方、着信履歴が図５に示す状態である場合、着信履歴に不在着信は存在するが、不在着信があったいずれの電話番号もアドレス帳５２に登録されていない。番号０１の履歴に含まれる電話番号「０４５−９４３−ＸＸＸＸ」は、呼び出し時間が３秒であるため、上記の場合と同様に条件を満たさず、許可番号格納領域５３には記憶されない。これに対して、番号０２の履歴に含まれる電話番号「０２２−２３４−ＸＸＸＸ」については、４秒以上の呼び出し時間の不在着信が着信履歴中に３回含まれるので、条件を満たす。制御部１０は、番号０２の履歴に含まれる電話番号「０２２−２３４−ＸＸＸＸ」を許可番号格納領域５３に記憶し、発信を可能とする。
【００５１】
以上に説明した処理により、電話番号に対する発信が抑制されている場合でも、着信履歴中に含まれる電話番号に対する発信が可能となる。
【００５２】
次に、図６および図７を参照して、携帯電話機１が発信抑制状態にある場合にも発信が可能となる電話番号に対して発信する場合の携帯電話機１の動作を説明する。図６は、上記の電話番号に発信する際の表示部の表示画面を示す図である。図７は、上記の電話番号に発信しているときの表示部の表示画面を示す図である。オートロックモードにある携帯電話機１に対して何らかの操作がなされると、携帯電話機１は、通常の待ち受け画面から、図６に示すように、オートロックモードを解除するためのパスワードを入力する画面に移行する。ここで、表示部１４には、「連絡先」ソフトキーが表示され、このソフトキーに対する操作を行うことで、図３に示す手順により許可番号格納領域５３に記憶された電話番号に対して発信することができる。また、図７に示すように、発信を行う際には電話番号の少なくとも一部を表示しない。これにより、携帯電話機１を拾得した者に必要以上の情報が開示されることを抑制できる。
【００５３】
ここで、表示部１４に表示される「連絡先」ソフトキーに対する操作で許可番号格納領域５３に記憶された電話番号に対して発信する構成を説明したが、携帯電話機１の拾得者がオートロックモードを解除するためのパスワードを間違えて入力した場合に自動的に許可番号格納領域５３に記憶された電話番号又は通信履歴記憶部５１に記憶された電話番号に対して発信する構成としてもよい。これにより、携帯電話機１の拾得者が悪意の第三者であった場合にも、携帯電話機１が持つ情報が漏洩することを抑制できる。
【００５４】
また、特定の電話番号または発信が抑制された後の着信履歴に含まれる電話番号に発信する際には、ＧＰＳ通信部１３により、通信相手に携帯電話機１の拾得者の現在位置を示す位置情報を送信してもよい。これにより、携帯電話機１の所有者が拾得者の位置を知ることができ、所有者の位置と拾得者の位置が近い場合には、携帯電話機１を受け取りに行くことができる。
【００５５】
以上の構成を有する本実施形態の携帯電話機１によれば、発信が抑制される発信抑制状態において、発信が抑制された後の着信履歴に含まれる電話番号に対する発信が可能となる。これにより、携帯電話機１の所有者が当該携帯電話機１を紛失した後に発信を抑制した場合であっても、当該携帯電話機１を拾得した者が当該携帯電話機１の所有者と連絡を取ることができる可能性が高まる。
【００５６】
また、本実施形態の携帯電話機１によれば、アドレス帳５２に登録されていない電話番号であっても、呼び出し時間および不在着信の回数の条件を満たせばその電話番号に対する発信を許可する。これにより、携帯電話機１の所有者が旅行先等で携帯電話機１を紛失した場合、旅行先の固定電話等から図５のように着信履歴を残すことで、携帯電話機１を拾得した者と連絡を取ることができる可能性が高まる。
【００５７】
以上、好適な実施形態について説明したが、本発明は上述した実施形態に限定されることなく種々の形態で実施することができる。例えば、本実施形態において、携帯端末として携帯電話機１について説明しているが、これに限定されない。携帯端末は、通信部により通信を行い、所定の条件が満たされると通信部による発信を抑制することが可能なものであれば、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、等のその他の端末であってもよい。
【００５８】
また、本実施形態においては、連結部４により折り畳み可能な携帯電話機１の説明をしているが、このような折り畳み式に限定されるものではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００５９】
また、本実施形態においては、通信先として電話番号を挙げて説明を行っているが、本発明はこれに限定されず、携帯電話機１に通信の履歴が残るものであれば、メールアドレスやＵＲＬ等であってもよい。
【００６０】
また、本実施形態においては、図３に示す処理により、設定データ記憶部に記憶された条件を満たす電話番号がある場合には、許可番号格納領域に記憶されている特定の電話番号に代えて条件を満たす電話番号が所定の通信先として記憶されるが、本発明はこれに限定されず、特定の電話番号に対する発信とステップＳ１０５において許可された電話番号に対する発信の両方を許可してもよい。また、設定データ記憶部に記憶された条件を満たす電話番号が複数ある場合には、その全てを許可番号格納領域に記憶してもよい。
【００６１】
また、本実施形態においては、図３に示す処理で電話番号がアドレス帳に登録されているものであれば、呼び出し時間にかかわらず履歴中の回数が所定の回数より多ければその電話番号に対する発信を可能としているが、本発明はこれに限定されず、アドレス帳に登録されている電話番号であっても、呼び出し時間が設定データ記憶部に記憶された条件を満たさない場合には、その電話番号に対する発信を許可せず、許可番号格納領域に記憶された特定の電話番号に対する発信を可能としてもよい。また、着信履歴に記憶された電話番号がアドレス帳に登録されていない電話番号であって、呼び出し時間が上記の条件を満たさない場合でも、呼び出し回数が所定の回数より多ければ、その電話番号に対する発信を可能としても良い。
【００６２】
また、本実施形態においては、発信抑制状態で発信可能な電話番号を決定する際の条件として、呼び出し時間、着信履歴中の通信の回数および最後の通信からの経過時間を用いているが、本発明はこれに限定されず、着信履歴における同一電話番号からの総呼び出し時間や着信履歴における同一電話番号からの着信の間隔を設定データ記憶部に条件として記憶してもよい。なお、呼び出し時間が所定の時間よりも長い場合とは、単独の履歴における呼び出し時間が所定の時間よりも長い場合及び複数の履歴における同一電話番号からの呼び出し時間の合計が所定の時間よりも長い場合を含む概念である。
【００６３】
上述したように、設定データ記憶部に記憶されたこれらの条件を任意に組み合わせて許可番号を決定する実施形態は、本発明の範囲に含まれる。
【００６４】
なお、本実施形態において、他の通信先からの着信に係る報知が開始されてから終了するまでの時間を呼び出し時間として説明しているが、本発明はこれに限定されない。例えば、呼び出し時間は、制御部が着信を検出してから着信が終了したことを検出するまでの時間であってもよい。
【００６５】
また、本実施形態において、制御部は、所定の条件に基づいて発信を抑制した後であっても、発信を抑制した後に記憶された着信履歴に含まれる電話番号に対する発信を可能とするが、本発明はこれに限定されない。例えば、制御部は、所定の条件に基づいて発信を抑制した後に、発信を抑制する前に記憶された着信履歴に含まれる電話番号に対する発信を可能としてもよい。また、発信を抑制する前に記憶された発信履歴に含まれる電話番号に対する発信を可能としてもよい。
【００６６】
また、本実施形態において、制御部は、発信を抑制した後の最新の通信から所定の時間が経過すると着信履歴に含まれる電話番号に対する発信の許可を解除するが、本発明はこれに限定されない。例えば、制御部は、発信を抑制した後において２番目に新しい通信から所定の時間が経過すると発信の許可を解除してもよいし、発信を抑制した後に通信部により行われた任意の通信から所定の時間が経過すると発信の許可を解除してもよい。
【００６７】
また、本実施形態では、オートロックモードにある携帯電話機に対して何らかの操作がなされると、通常の待ち受け画面から、図６に示すように、オートロックモードを解除するためのパスワードを入力する画面に移行する。よって、この状態では許可番号にのみ発信が可能であり、許可番号と異なる電話番号に対する発信は抑制される。
【００６８】
ここで、制御部が発信を抑制する抑制方法として、所定の条件が満たされた場合でも携帯端末の拾得者が発信履歴または着信履歴を閲覧することを可能とし、操作部に対して発信を行うための操作がなされたときに履歴に含まれる通信先に対する発信を抑制して当該通信先に係る情報を記憶部に記憶するという抑制方法も考えられる。この場合、携帯端末の拾得者が発信しようとした通信先に対する発信を可能としてもよい。
【符号の説明】
【００６９】
１  携帯電話機（携帯端末）
２  操作部側筐体
３  表示部側筐体
４  連結部
１０  制御部
１１  操作部
１２  通信部
１３  ＧＰＳ通信部
１４  表示部
１５  記憶部
３１  音声入力部
３２  音声出力部
５１  通信履歴記憶部
５２  アドレス帳
５３  許可番号格納領域
５４  緊急通報用記憶部
５５  設定データ記憶部
【図１】
2011024970.tif 000003
【図２】
2011024970.tif 000004
【図３】
2011024970.tif 000005
【図４】
2011024970.tif 000006
【図５】
2011024970.tif 000007
【図６】
2011024970.tif 000008
【図７】
2011024970.tif 000009
【国際調査報告】
2011024970.tif 000010
2011024970.tif 000011
2011024970.tif 000012
2011024970.tif 000013